(57)【要約】【課題】トイレ用仮設台の安全性および利便性向上【解決手段】  トイレ用仮設台１００は、裏面の左右両側部に肘掛保持部１１１，１１２が設けられた台１０１と、台１０１に取り付けられた脚１０２とを備えている。このトイレ用仮設台１００は、便座１２と、便座１２の左右に設けられた肘掛け１４，１５とを備えたトイレ１０に対して、肘掛け１４，１５に載せられた状態で肘掛保持部１１１，１１２によって台１０１が保持され、かつ、脚１０２は、当該台１０１から下方に延びて接地される。【選択図】図１
2017042240.tif 000002
【特許請求の範囲】
【請求項１】
裏面の左右両側部に肘掛保持部が設けられた台と、前記台に取り付けられた脚と
を備え、
便座と、前記便座の左右に設けられた肘掛けとを備えたトイレに対して、
前記肘掛けに載せられた状態で前記肘掛保持部によって前記台が保持され、かつ、前記脚は、当該台から下方に延びて接地される、トイレ用仮設台。
【請求項２】
前記脚は、前記台の裏面から下方に延びた第１姿勢と、前記台の裏面に沿って延びた第２姿勢との少なくとも２つの姿勢に姿勢変更可能である、請求項１に記載されたトイレ用仮設台。
【請求項３】
前記脚の一端が、前記台の裏面に回動自在に取り付けられており、
前記脚は、前記台の裏面に対して回動させることによって、前記第１姿勢と、前記第２姿勢とに変更可能である、請求項２に記載されたトイレ用仮設台。
【請求項４】
前記脚は、伸縮機構を備えた、請求項１から３までの何れか一項に記載されたトイレ用仮設台。
【請求項５】
前記脚は、前記台の左右方向における中央部に取り付けられている、請求項１から４までの何れか一項に記載されたトイレ用仮設台。
【請求項６】
前記脚の下端は、前記台の左右方向に延びる接地部を備えた、請求項５に記載されたトイレ用仮設台。
【請求項７】
左右方向において前記肘掛けに載置される部位よりも内側で、かつ、前記中央部の外側では、前記台の裏面が、前記肘掛けに載置される部位よりも盛り上がっている、請求項５または６に記載されたトイレ用仮設台。
【発明の詳細な説明】
【技術分野】
【０００１】
本発明はトイレ用仮設台に関する。
【背景技術】
【０００２】
例えば、特開２００３−２７５６２号公報には、ポータブルトイレの両側の肘掛に着脱自在に掛け渡される台が提案されている。ここで提案される台は、片側の側面および他方の側部の下面にそれぞれ溝が設けられている。この台は、片側の側面および他方の側部の下面にそれぞれ設けられた溝に、肘掛を嵌めることによって、ポータブルトイレに取り付けられる。特開２００６−４３３７４号公報には、ポータブルトイレの両側の肘掛に対して、台の両側にガイド片が設けられており、当該ガイド片に取り付けられたねじによって、ポータブルトイレの肘掛に引っ掛けられている。
【先行技術文献】
【特許文献】
【０００３】
【特許文献１】特開２００３−２７５６２号公報
【特許文献２】特開２００６−４３３７４号公報
【発明の概要】
【発明が解決しようとする課題】
【０００４】
ところで、ポータブルトイレは、主としてベッド横に置かれ、使用者がベッドから既設のトイレに独力で移動することが困難であるような場合に使用される。ポータブルトイレを使用する使用者の筋力が衰えている場合には、使用者は介助者による介助を受けてポータブルトイレへ移乗する。このように筋力が低下した使用者は、ポータブルトイレを使用する際に適切な姿勢を維持することができない場合がある。例えば、ポータブルトイレを使用する場合には、肩幅程度に足を開いた状態で座る。この際、使用者の上体が背中側に反れる場合よりも、少し前傾にした方が排便しやすいとされる。使用者の前方に台が設けられていると、使用者はこの台を頼って上体を前傾に保ちやすい。
【０００５】
本願発明者は、ポータブルトイレの両側の肘掛に架け渡して、使用者の前方に台を設ける構造を検討している。このような台の取り付けや取り外しは、介助者が使用者を介助しつつ行う場合がある。筋力が低下した使用者の介助では、介助者は、片手で使用者を支えつつ、台の取り付けや取り外しを行いたい場合がある。このため、台は、より簡単に取り付けられたり、取り外されたりできると便利である。かかる観点において、本願発明者は、使用者および介助者が安全にかつ便利に使用できる新規なトイレ用仮設台を提案したいと考えている。
【課題を解決するための手段】
【０００６】
ここで提案されるトイレ用仮設台は、裏面の左右両側部に肘掛保持部が設けられた台と、台に取り付けられた脚とを備えている。このトイレ用仮設台は、便座と、便座の左右に設けられた肘掛けとを備えたトイレに対して、肘掛けに載せられた状態で肘掛保持部によって台が保持され、かつ、脚は、当該台から下方に延びて接地される。このトイレ用仮設台によれば、台は、肘掛けに載せられた状態で、肘掛保持部によって肘掛けに保持され、かつ、脚が台から下方に延びて接地している。このため、使用時に台に体重が掛かっても台が安定して支持され容易に倒れない。
【０００７】
この場合、脚は、台の裏面から下方に延びた第１姿勢と、台の裏面に沿って延びた第２姿勢との少なくとも２つの姿勢に姿勢変更可能であってもよい。この構造によって、トイレ用仮設台を使用しない場合に、脚を台の裏面に沿って延びた第２姿勢にすることによってトイレ用仮設台をコンパクトにするとよい。この場合、トイレ用仮設台の脚の一端は、例えば、台の裏面に回動自在に取り付けられており、脚は、台の裏面に対して回動させることによって、第１姿勢と第２姿勢とに変更可能であってもよい。また、脚は、上記の第１姿勢と第２姿勢との少なくとも２つの姿勢に姿勢変更可能であるとよく、特に言及されない限りにおいて、脚が台の裏面に回動自在に取付けられている構造に限定されない。他の形態として、例えば、脚は、台から取り外せるように構成されており、台の裏面から下方に延びた第１姿勢と、台の裏面に沿って延びた第２姿勢とで、それぞれ台に取付けられる構造であってもよい。この場合、脚と台とに、それぞれ第１姿勢と第２姿勢に応じた取付部が設けられているとよい。
【０００８】
脚は、伸縮機構を備えていてもよい。この構造によって、取り付けられるトイレの肘の高さに応じて脚を伸ばすことができる。また、脚が台の裏面に沿って延びた第２姿勢において、脚が短くなることでトイレ用仮設台をコンパクトに収容できる。
【０００９】
脚は、台の左右方向における中央部に取り付けられていてもよい。この場合、便座に座る使用者が脚を跨ぐように使用でき、脚が邪魔になりにくい。さらに、この場合、脚の下端は、台の左右方向に延びる接地部を備えていてもよい。この構造によれば、脚は台をより安定して支持できる。
【００１０】
左右方向において肘掛けに載置される部位よりも内側で、かつ、中央部の外側では、台の裏面が、肘掛けに載置される部位よりも盛り上がっていてもよい。この場合、便座に座る使用者の太ももが抑えられるので、使用者が前にずれにくい。
【図面の簡単な説明】
【００１１】
【図１】図１は、トイレ用仮設台１００が取り付けられたポータブルトイレ１０の側面図である。
【図２】図２は、トイレ用仮設台１００の斜視図である。
【図３】図３は、トイレ用仮設台１００の正面図である。
【図４】図４は、トイレ用仮設台１００の側面図である。
【図５】図５は、トイレ用仮設台１００の底面図である。
【図６】図６は、トイレ用仮設台１００の背面図である。
【図７】図７は、脚１０２を畳んだ状態を示すトイレ用仮設台１００の側面図である。
【図８】図８は、左側の肘掛保持部１１１のカバー１２７が取り外されて肘掛保持部１１１の内部構造を示す底面図である。
【図９】図９は、左側の肘掛保持部１１１のピン１１１ｂを示す正面図である。
【図１０】図１０は、ロック部材１２３を示す斜視図である。
【図１１】図１１は、取付片１２３ｂ側のバネ止め１２４の端面を示す図である。
【図１２】図１２は、図１１のＸＩＩ−ＸＩＩ断面を示す断面図である。
【図１３】図１３は、肘掛保持部１１１の内部構造を示す底面図である。
【図１４】図１４は、トイレ用仮設台１００が取り付けられたポータブルトイレ１０の正面図である。
【発明を実施するための形態】
【００１２】
以下、ここで提案されるトイレ用仮設台を図面に基づいて説明する。各図において同じ作用を奏する部材や部位には、同じ符号を付し、適宜に重複する説明を省略している。ここでは、説明の便宜上、トイレ用仮設台に対して適宜に、前後左右の方向を設定する。図面上、前をＦ、後をＢ、左をＬ、右をＲ、上をＵ、下をＤと表す。
【００１３】
ここでは、トイレ用仮設台が、ポータブルトイレに取り付けられた状態において、ポータブルトイレに座る使用者に沿って向きが定められている。ポータブルトイレに座る使用者の前方を前、後方を後とし、左右および上下が定められている。ポータブルトイレに取り付けられるトイレ用仮設台についても、ポータブルトイレに取り付けられた状態で、上記ポータブルトイレの前後、左右、上下の方向に準じて前後左右上下の方向が定められている。
【００１４】
図１は、トイレ用仮設台１００が取り付けられたポータブルトイレ１０の側面図である。図２から図７は、トイレ用仮設台１００を示す図である。ここで、図２は、トイレ用仮設台１００の斜視図である。図３は、トイレ用仮設台１００の正面図である。図４は、トイレ用仮設台１００の側面図である。図５は、トイレ用仮設台１００の底面図である。図６は、トイレ用仮設台１００の背面図である。図７は、脚１０２を畳んだ状態を示すトイレ用仮設台１００の側面図である。
【００１５】
〈トイレ用仮設台１００〉
トイレ用仮設台１００は、図１および図２に示すように、台１０１と、脚１０２とを備えている。台１０１は、肘掛保持部１１１，１１２が設けられている。肘掛保持部１１１，１１２は、図３から図６に示すように、台１０１の裏面の左右両側部に設けられている。肘掛保持部１１１，１１２は、基部１１１ａ，１１２ａと、ピン１１１ｂ，１１２ｂとを備えている。この実施形態では、台１０１は、全体としてトイレ１０の前方に配置され、肘掛け１４，１５（図１および図１４参照）の上に載せられるのに十分な幅を有している。台１０１の後部には、便座１２に座る使用者の胴部に沿うように前方に窪んだ窪み１０１ａが設けられている。台１０１の上面において、台１０１の前部の縁１０１ｂは上方に沿っている。当該縁１０１ｂは、台１０１の上に使用者が腕を置いた場合に、腕が台１０１の前方に落ちないように引っ掛かる部位になる。
【００１６】
基部１１１ａ，１１２ａは、台１０１の裏面の左右両側部に設けられ、ピン１１１ｂ，１１２ｂを支持する部材である。この実施形態では、基部１１１ａ，１１２ａは、ポータブルトイレ１０の左右の肘掛け１４，１５の外側に配置されるように、予め定められた間隔で台１０１の裏側に設けられている。ピン１１１ｂ，１１２ｂの位置は、かかる肘掛け１４，１５が配置される側（台１０１の内側）に基部１１１ａ，１１２ａから大きく突出した位置と、当該位置から基部１１１ａ，１１２ａ内に引っ込んだ位置とで変更される。
【００１７】
以下、この実施形態における肘掛保持部１１１，１１２の構造をより具体的に説明する。図８は、左側の肘掛保持部１１１のカバー１２７が取り外されて肘掛保持部１１１の内部構造を示す底面図である。図９は、左側の肘掛保持部１１１のピン１１１ｂを示す正面図である。ここでは、左側の肘掛保持部１１１を説明するが、右側の肘掛保持部１１２は、左側の肘掛保持部１１１と同様の構造である。左右の肘掛保持部１１１，１１２において、同じ部材および部位には、それぞれ同じ符号を付している。
【００１８】
この実施形態では、肘掛保持部１１１，１１２は、図８および図９に示すように、ピン１１１ｂ，１１２ｂを構成する部材として、ピン本体１２１と、操作部材１２２とを備えている。また、肘掛保持部１１１，１１２は、基部１１１ａ，１１２ａを構成する部材として、ロック部材１２３と、バネ止め１２４と、バネ１２５と、カバー１２７とを備えている。
【００１９】
〈ピン本体１２１、操作部材１２２〉
図９に示すように、ピン本体１２１は、断面円形の軸である。ピン本体１２１の一端には、操作部材１２２が取り付けられている。操作部材１２２は、軸部１２２ａと、頭部１２２ｂとを備えている。軸部１２２ａは、頭部１２２ｂから一方向に延びている。軸部１２２ａの先端には、ピン本体１２１が装着されている。ピン本体１２１は、軸部１２２ａの軸方向に沿って延びている。また、軸部１２２ａの先端には、外径方向に突出した突起１２２ｃが設けられている。軸部１２２ａの軸方向の中間部の断面は、異形形状である。この実施形態では、操作部材１２２の軸部１２２ａの外周面には、軸方向の中間部から軸部１２２ａの基端にかけて外径側に突出した突条１２２ｄを有している。突条１２２ｄは、周方向に均等に複数（具体的には２本）設けられている。軸部１２２ａの基端１２２ｅは太くなっており、頭部１２２ｂが設けられている。頭部１２２ｂは、ピン１１１ｂ，１１２ｂを操作する部位である。この実施形態では、頭部１２２ｂは、平べったい略円板状の摘まみで構成されている。
【００２０】
〈ロック部材１２３〉
図１０は、ロック部材１２３を示す斜視図である。ロック部材１２３は、図１０に示すように、取付部１２３ａと、取付片１２３ｂ，１２３ｃとを備えている。取付部１２３ａは、台１０１に取り付けられる部位であり、ねじ孔１２３ａ１が形成されている。この実施形態では、取付部１２３ａは、台１０１の左右両側部において、台１０１の下面に取り付けられる。一方の取付片１２３ｂは、取付部１２３ａの台１０１の内側の端部から下方に延びている。取付片１２３ｂには、ピン本体１２１が挿通する挿通孔１２３ｄが形成されている。挿通孔１２３ｄはピン本体１２１の外径とほぼ同じか少し大きい円形の孔で形成されている。他方の取付片１２３ｃは、台１０１の外側の端部から下方に延びている。取付片１２３ｃには、操作部材１２２の軸部１２２ａが挿通する挿通孔１２３ｅが形成されている。操作部材１２２の軸部１２２ａの断面は、異形形状であり、挿通孔１２３ｅは、かかる操作部材１２２の軸部１２２ａの断面に応じた形状を有している。この実施形態では、挿通孔１２３ｅには、操作部材１２２の軸部１２２ａの外周面に設けられた突起１２２ｃに応じた窪み１２３ｆが形成されている。窪み１２３ｆは、挿通孔１２３ｅの前と後の縁に形成されており、外径方向に窪んでいる。ロック部材１２３の周縁部には、カバー１２７に設けられる爪１２７ａ（図４参照）が引っ掛かる窪み１２３ｇを有している。この実施形態では、取付片１２３ｂと取付片１２３ｃとにそれぞれ窪み１２３ｇが設けられている。
【００２１】
〈バネ止め１２４、バネ１２５〉
バネ止め１２４は、筒状の部材である。図１１は、取付片１２３ｂ側のバネ止め１２４の端面を示しており、図１２は、バネ止め１２４の断面図であり、図１１のＸＩＩ−ＸＩＩ断面を示している。バネ止め１２４の孔１２４ａは、ピン本体１２１は挿通可能であるが操作部材１２２の軸部１２２ａに設けられた突条１２２ｄが引っ掛かって挿通されない程度の内径を有している。孔１２４ａには、操作部材１２２の軸部１２２ａの先端に設けられた突起１２２ｃが挿通する溝１２４ａ１が形成されている。突起１２２ｃを、当該溝１２４ａ１に合わせることによって、操作部材１２２の軸部１２２ａを、バネ止め１２４の孔１２４ａに挿通することができる。バネ止め１２４の取付片１２３ｂ側の端部には、フランジ１２４ｂが設けられている。フランジ１２４ｂの片面は、バネ座１２４ｂ１となる。また、バネ止め１２４の取付片１２３ｂ側の端面には、バネ止め１２４の孔１２４ａが開口しており、孔１２４ａの溝１２４ａ１に直交する向きに窪み１２４ａ２が形成されている。バネ１２５は、バネ止め１２４の外径よりも少し大きい内径を有するコイルばねである。
【００２２】
〈肘掛保持部１１１，１１２の組み立て〉
肘掛保持部１１１，１１２のロック部材１２３は、図５に示すように、台１０１の左右両側部の裏面に取り付けられる。ロック部材１２３は、図８に示すように、取付片１２３ｂを台１０１の内側に向け、取付片１２３ｃを台１０１の外側に向けた状態で、取付部１２３ａを台１０１の裏面に押し当てる。そして、取付部１２３ａのねじ孔１２３ａ１（図１０参照）にねじ１２６を装着し、台１０１の裏面に設けられたねじ穴（図示省略）にねじ込む。このことによって、ロック部材１２３は台１０１に固定される。
【００２３】
ピン１１１ｂのピン本体１２１は、ロック部材１２３の外側の取付片１２３ｃに設けられた挿通孔１２３ｅに挿通される。挿通孔１２３ｅに挿通されたピン本体１２１には、バネ１２５とバネ止め１２４が順に装着される。その後、バネ１２５とバネ止め１２４が装着されたピン本体１２１は、ロック部材１２３の内側の取付片１２３ｂの挿通孔１２３ｄに挿通される。この状態で、バネ止め１２４の孔１２４ａにピン１１１ｂの軸部１２２ａを通し、軸部１２２ａの先端の突起１２２ｃを、バネ止め１２４の端面の窪み１２４ａ２を嵌める。このように、ロック部材１２３にピン１１１ｂ、バネ止め１２４およびバネ１２５を装着した後で、図５に示すように、カバー１２７が取り付けられる。カバー１２７は、ロック部材１２３の外縁に沿って、ロック部材１２３の下側を覆うように装着される部材である。カバー１２７には、ロック部材１２３に噛み合う取付部が設けられている。
【００２４】
図８は、軸部１２２ａの基端１２２ｅが外側の取付片１２３ｃに当たるまで、操作部材１２２をロック部材１２３に挿入した状態が示されている。この状態で、ピン本体１２１は、ロック部材１２３の取付片１２３ｂから内側に大きく突出している。図８の状態から、操作部材１２２の頭部１２２ｂを台１０１の外方に引っ張ると、挿通孔１２３ｅに沿って操作部材１２２の軸部１２２ａが引き出され、ピン本体１２１はロック部材１２３の内側に引っ込む。ここで、図１３は、肘掛保持部１１１の内部構造を示す底面図である。図１３では、突条１２２ｄの先端１２２ｄ１が挿通孔１２３ｅから引き出された状態が示されている。また、図１３では、操作部材１２２の頭部１２２ｂは、９０度回されており、突条１２２ｄが上下に向けられている。
【００２５】
なお、この実施形態では、ピン本体１２１は、完全にロック部材１２３の内側に入り込まないが、ロック部材１２３からの突出量は小さくなる。図１３に示すように、突条１２２ｄの先端１２２ｄ１が挿通孔１２３ｅから引き抜かれた状態で、頭部１２２ｂを回すと、突条１２２ｄの先端１２２ｄ１がロック部材１２３の外側の取付片１２３ｃに当たる。ロック部材１２３の内部では、バネ座１２４ｂ１と取付片１２３ｃとの距離に応じてバネ１２５が圧縮される。バネ１２５の弾性反力によって、操作部材１２２がロック部材１２３の内側に向けて引っ張られる。この結果、突条１２２ｄの先端１２２ｄ１がロック部材１２３の外側の取付片１２３ｃに押し当たる。操作部材１２２は、この状態で保持され、ピン本体１２１はロック部材１２３内に引っ込んだ状態で維持される。図１３の状態から、操作部材１２２の頭部１２２ｂを回し、突条１２２ｄを挿通孔１２３ｅの窪み１２３ｆ（図１０参照）に合わせると操作部材１２２の軸部１２２ａが挿通孔１２３ｅに合致する。そして、頭部１２２ｂから手を離すと、図８に示すように、バネ１２５の弾性反力によって操作部材１２２の軸部１２２ａはロック部材１２３の内部に入り、ピン本体１２１はロック部材１２３から突出する。
【００２６】
左右の肘掛保持部１１１，１１２は、同じ構造である。ピン本体１２１がロック部材１２３から突出した状態（図８参照）と、ピン本体１２１がロック部材１２３に引っ込んだ状態（図１３参照）とは、操作部材１２２の頭部１２２ｂを引っ張り、あるいは、回すことによって操作できる。このため、使用者は、肘掛保持部１１１，１１２を片手で操作することが可能である。
【００２７】
図５には、台１０１の裏面が示されている。図５に示すように、台１０１の裏面には、左右両側部に、ポータブルトイレ１０の肘掛け１４，１５が収まる肘掛収容部１４１，１４２が設けられている。台１０１の裏面には、肘掛収容部１４１，１４２の前および内方において、下方に立ち上がった壁１４１ａ，１４１ｂ，１４２ａ，１４２ｂが設けられている。壁１４１ａ，１４１ｂ，１４２ａ，１４２ｂは、肘掛収容部１４１，１４２に装着される肘掛け１４，１５の位置を定める。図１４は、トイレ用仮設台１００が取り付けられたポータブルトイレ１０の正面図である。また、このトイレ用仮設台１００が取り付けられるポータブルトイレ１０の肘掛け１４，１５には、図１および図４に示すように、下方に突出した支柱１４ａ,１５ａが設けられているとよい。もしポータブルトイレ１０の既設の肘掛け１４，１５に適当な位置に支柱が無ければ、肘掛け１４，１５から下方に突出するように軸材やブロック材を肘掛け１４，１５に取り付けるとよい。ここでは、肘掛け１４，１５の下方に突出した部位を支柱部と称する。かかる支柱部には、ポータブルトイレ１０の既設の支柱、肘掛け１４，１５から下方に延びた突起（例えば、後付けされる軸材）などが含まれうる。
【００２８】
上述した肘掛保持部１１１，１１２は、図５に示すように、台１０１の裏面において、左右の肘掛収容部１４１，１４２の外方に配置されている。この実施形態では、肘掛保持部１１１，１１２は、肘掛収容部１４１，１４２に配置される肘掛け１４，１５の支柱部１４ａ，１５ａの後方にピン本体１２１が突出するように配置されている。そして、肘掛保持部１１１，１１２に配置される肘掛け１４，１５に対してピン本体１２１が突出し、台１０１の裏面との間で肘掛け１４，１５を挟み込む。これによって、左右の肘掛収容部１４１，１４２に収められた肘掛け１４，１５の前および内方は、肘掛収容部１４１，１４２の壁１４１ａ，１４１ｂ，１４２ａ，１４２ｂがある。また、この実施形態では、肘掛け１４，１５の外方には、肘掛収容部１４１，１４２の内側面（この実施形態では、ロック部材１２３の内側の取付片１２３ｂ）がある。さらに、肘掛け１４，１５の支柱１４ａ，１５ａ（広義には支柱部）の後方には、肘掛保持部１１１，１１２のピン１１１ｂ，１１２ｂが突出している。肘掛け１４，１５は、肘掛保持部１１１，１１２に保持される。このため、台１０１は、肘掛け１４，１５の上に置かれた状態で保持される。
【００２９】
〈トイレ用仮設台１００の取り付け〉
ここで、トイレ用仮設台１００が取り付けられるポータブルトイレ１０は、図１および図１４に示すように、便座１２と、便座１２の左右に設けられた肘掛け１４、１５とを備えている。このトイレ用仮設台１００の台１０１は、ポータブルトイレ１０の両側の肘掛け１４，１５に載せられる。そして、肘掛け１４，１５の支柱１４ａ，１５ａに肘掛保持部１１１，１１２のピン１１１ｂ，１１２ｂが引っ掛かるように、ポータブルトイレ１０の両側の肘掛け１４，１５に載せられた状態で、ピン本体１２１を突出させるとよい。これにより、肘掛保持部１１１，１１２によって台１０１は肘掛け１４，１５に載せられた状態で保持される。なお、トイレ用仮設台１００が取り付けられるトイレは、ポータブルトイレ１０（いわゆる仮設トイレ）に限定されない。トイレ用仮設台１００は、例えば、仮設でない常設のトイレに対しても、便座１２の両側に肘掛け１４、１５が設けられている場合に取り付けることができる。
【００３０】
〈使用者Ａの太ももＡ１，Ａ２が当たる部位１４３，１４４〉
この実施形態では、台１０１の裏面には、左右方向において肘掛け１４，１５に載置される部位（肘掛収容部１４１，１４２）よりも内側で、かつ、中央部の外側では、台１０１の裏面が、肘掛け１４，１５に載置される部位よりも盛り上がっている。この盛り上がった部位１４３，１４４は、便座１２に座る使用者Ａの太ももＡ１，Ａ２が当たる。この部位１４３，１４４が使用者Ａの太ももＡ１，Ａ２が当たることによって、使用者Ａの太ももＡ１，Ａ２がポータブルトイレ１０に座った状態で前にずれにくくなる。このため、使用者Ａの筋力が低下している場合でも、使用者Ａが便座１２に座った姿勢を維持し易くなる。なお、図５に示す形態では、台１０１の裏面において使用者Ａの太ももＡ１，Ａ２が当たる部位１４３，１４４が下方に盛り上がっているが、当該部位１４３，１４４には、台１０１の裏面に台１０１とは別体の部材が取り付けられていてもよい。例えば、当該部位１４３，１４４には、ブロック状の部材が台１０１の裏面に取り付けられていてもよい。また、当該部位１４３，１４４には、クッション性を有する部材が取り付けられていてもよい。これにより、当該部位１４３，１４４にクッション性を有する部材を採用することによって、使用者Ａの太ももＡ１，Ａ２への圧迫を緩和できる。
【００３１】
〈脚１０２〉
上述のように、トイレ用仮設台１００の台１０１は、裏面の左右両側部に肘掛保持部１１１，１１２が設けられている。トイレ用仮設台１００の台１０１には、図１、図２および図１４に示すように、脚１０２が取り付けられている。この実施形態では、台１０１の裏面には、中央前部に脚１０２が取り付けられており、中央部には脚１０２が折り畳まれる窪み１４６が設けられている。
【００３２】
トイレ用仮設台１００は、図１および図１４に示すように、便座１２と、便座１２の左右に設けられた肘掛け１４，１５とを備えたポータブルトイレ１０に対して取り付けられる。台１０１は、肘掛け１４，１５に載せられた状態で、肘掛保持部１１１，１１２によって肘掛け１４，１５に保持され、かつ、脚１０２は、台１０１から下方に延びて接地される。このように、脚１０２が台１０１から下方に延びて設置しているので、使用者が台１０１に体重を掛けても、台１０１が安定している。
【００３３】
この実施形態では、脚１０２は、台１０１の裏面において、左右方向における中央部に取り付けられている。脚１０２が、台１０１の左右方向における中央部に取り付けられているので、便座１２に座る使用者が脚１０２を跨ぐように使用でき、脚１０２が邪魔になりにくい。また、脚１０２は、伸縮機構を備えているとよい。この場合、台１０１が置かれる肘掛け１４，１５の高さに応じて脚１０２の長さを調整するとよい。これによって、脚１０２を床に確実に接地させることができる。さらに、この実施形態では、脚１０２の下端には、台１０１の左右方向に延びた接地部１０２ｃが設けられている。
【００３４】
脚１０２は、図７に示すように、台１０１の裏面から下方に延びた第１姿勢と、台１０１の裏面に沿って延びた第２姿勢との少なくとも２つの姿勢に姿勢変更可能であるとよい。例えば、脚１０２の一端が、台１０１の裏面に回動自在に取り付けられているとよい。この場合、脚１０２は、台１０１の裏面に対して回動させることによって、第１姿勢と、第２姿勢とに変更が容易に行える。
【００３５】
この実施形態では、図５に示すように、台１０１の裏面の中央部には、前後方向に沿って窪み１４６が設けられている。脚１０２は、図２から図５に示すように、ブラケット１０２ａと、軸材１０２ｂと、接地部１０２ｃとを備えている。ブラケット１０２ａは、台１０１の窪み１４６の前部に取り付けられている。
【００３６】
軸材１０２ｂの一端が、ブラケット１０２ａに対して回動自在に取り付けられている。軸材１０２ｂは、スリーブ１０２ｂ１と、接地軸１０２ｂ２とを備えている。スリーブ１０２ｂ１の一端は、ブラケット１０２ａに回動自在に取り付けられる。スリーブ１０２ｂ１には、軸方向に沿って複数の孔１０２ｂ３が形成されている。
【００３７】
接地軸１０２ｂ２は、スリーブ１０２ｂ１に挿通される軸部材である。接地軸１０２ｂ２には、径方向に弾性的に突出する突起１０２ｂ４が設けられている。接地軸１０２ｂ２は、かかる突起１０２ｂ４を押し込んだ状態で、スリーブ１０２ｂ１内に装着され、スリーブ１０２ｂ１に設けられた孔１０２ｂ３に嵌合させる。この際、スリーブ１０２ｂ１の軸方向に沿って形成された複数の孔１０２ｂ３のうち、接地軸１０２ｂ２の突起１０２ｂ４を嵌合させる孔を選択することによって、スリーブ１０２ｂ１に対して接地軸１０２ｂ２が延びる長さが調整される。これにより、脚１０２を伸縮させることができるが、脚１０２の伸縮機構はかかる構造に限定されない。
【００３８】
また、接地軸１０２ｂ２の先端には、床に接地する接地部１０２ｃが設けられている。接地部１０２ｃは、台１０１の左右方向に沿って延びている。接地部１０２ｃが台１０１の左右方向に沿って延びていることによって、脚１０２は、より安定して台１０１を支持できる。この場合、接地部１０２ｃは、より安定して台１０１を支持するとの観点において、例えば、台１０１の左右方向に沿って５ｃｍ以上、より好ましくは８ｃｍ以上延びていればよい。またあまりに長いと邪魔になる場合があり、この観点において、接地部１０２ｃは、台１０１の左右方向に沿って３０ｃｍ以下、より好ましくは２５ｃｍ以下であるとよい。
【００３９】
また、脚１０２は、ブラケット１０２ａに対して、軸材１０２ｂが回動自在に取り付けられている。軸材１０２ｂは、図７に示すように、ブラケット１０２ａに対して回動させることによって、台１０１の裏面の中央部の窪み１４６に収められる。この際、脚１０２を短くしておくことによって、トイレ用仮設台１００をコンパクトに折り畳める。
【００４０】
〈フック１０３〉
また、トイレ用仮設台１００は、ベッドの柵やポータブルトイレ１０などに引っ掛けられるようにフック１０３を備えていてもよい。この実施形態では、トイレ用仮設台１００は、ブラケット１０２ａにフック１０３が取り付けられている。フック１０３は、湾曲したフック部１０３ａと、フック部１０３ａの基端からブラケット１０２ａの両側面に沿って延びたガイド片１０３ｂとを備えている。ガイド片１０３ｂには、ガイド孔１０３ｂ１が形成されている。ブラケット１０２ａの両側面には、軸１０２ａ１が突出している。当該軸１０２ａ１にガイド片１０３ｂのガイド孔１０３ｂ１を装着することによって、ブラケット１０２ａにフック１０３が取り付けられている。この場合、例えば、トイレ用仮設台１００を所定の位置に引っ掛ける際に、図７に示すように、脚１０２を折り畳み、ガイド孔１０３ｂ１に沿ってフック１０３をブラケット１０２ａから引き出すとよい。また、トイレ用仮設台１００を使用する際には、図２から図５に示すように、フック１０３をブラケット１０２ａに押しつけて台１０１の下方に押し込むとよい。これにより、トイレ用仮設台１００を使用する際にフック１０３が邪魔にならない。
【００４１】
以上、ここで提案されるトイレ用仮設台について実施形態を説明した。ここで提案されるトイレ用仮設台は、特に言及されない限りにおいて、ここで例示した実施形態に限定されず、種々変更されてもよい。
【産業上の利用可能性】
【００４２】
以上のとおり、ここで提案される発明は、トイレに取り付けられるトイレ用仮設台に利用される。
【符号の説明】
【００４３】
１０  ポータブルトイレ
１２  便座
１４，１５  肘掛け
１４ａ，１５ａ  支柱
１００  トイレ用仮設台
１０１  台
１０２  脚
１０２ａ  ブラケット
１０２ａ１  軸
１０２ｂ  軸材
１０２ｂ１  スリーブ
１０２ｂ２  接地軸
１０２ｂ３  孔
１０２ｂ４  突起
１０２ｃ  接地部
１０３  フック
１０３ａ  フック部
１０３ｂ  ガイド片
１０３ｂ１  ガイド孔
１１１，１１２  肘掛保持部
１１１ａ，１１２ａ  基部
１１１ｂ，１１２ｂ  ピン
１２１  ピン本体
１２２  操作部材
１２２ａ  軸部
１２２ｂ  頭部
１２２ｃ  突起
１２２ｄ  突条
１２２ｄ１  突条１２２ｄの先端
１２２ｅ  基端
１２３  ロック部材
１２３ａ  取付部
１２３ａ１  ねじ孔
１２３ｂ，１２３ｃ  取付片
１２３ｄ、１２３ｅ  挿通孔
１２３ｆ  窪み
１２３ｇ  窪み
１２４  バネ止め
１２４ａ  バネ止め１２４の孔
１２４ａ１  溝
１２４ａ２  窪み
１２４ｂ  フランジ
１２４ｂ１  バネ座
１２５  バネ
１２７  カバー
１２７ａ  爪
１４１，１４２  肘掛収容部
１４１ａ，１４１ｂ，１４２ａ，１４２ｂ  壁
１４３，１４４  使用者Ａの太ももＡ１，Ａ２が当たる部位
１４６  窪み
Ａ  使用者
Ａ１，Ａ２  太もも
【図１】
2017042240.tif 000003
【図２】
2017042240.tif 000004
【図３】
2017042240.tif 000005
【図４】
2017042240.tif 000006
【図５】
2017042240.tif 000007
【図６】
2017042240.tif 000008
【図７】
2017042240.tif 000009
【図８】
2017042240.tif 000010
【図９】
2017042240.tif 000011
【図１０】
2017042240.tif 000012
【図１１】
2017042240.tif 000013
【図１２】
2017042240.tif 000014
【図１３】
2017042240.tif 000015
【図１４】
2017042240.tif 000016